(57)【特許請求の範囲】
【請求項１】
一対をもって用いる手袋（１）と他の手袋（２）とからなる洗濯用防水手袋において、
上記手袋（１）は甲面の第一関節と第二関節の間の位置に断面が三角形もしくは台形の細長い棒状の突起（５ａ）を並列して複数本備えており、掌面手首位置に断面が三角形もしくは台形の細長い棒状の突起（５ｂ）を並列して複数本備えており、指を折り曲げたときに上記突起（５ａ）と上記突起（５ｂ）が略連続した状態で配置されるようになり、
上記一対の他の手袋（２）は甲面の第一関節と第二関節の間の位置に断面が三角形もしくは台形の細長い棒状の突起（６ａ）を上記手袋（１）に設けた突起（５ａ）の設定角度と異なる角度に並列して複数本備えており、掌面手首側に断面が三角形もしくは台形の細長い棒状の突起（６ｂ）を上記手袋（１）に設けた突起（５ｂ）の設定角度と異なる角度に並列して複数本備えており、上記一対の手（１）、（２）によって揉み洗いするべく自然な角度で両手を交叉させた時に両手の突起（５ａ）、（５ｂ）、（６ａ）、（６ｂ）の方向が一致する様に装着したことを特徴とする洗濯用防水手袋。
【請求項２】
請求項１記載の洗濯用防水手袋において、
上記手袋（１）と手袋（２）の掌面であって五指の部分には微細な突起（７）が設けられていることを特徴とする洗濯用防水手袋。
【発明の詳細な説明】
【０００１】
【発明の属する技術分野】
本発明は洗濯に用いる防水手袋に関わる。
【０００２】
【従来の技術】
従来の洗濯用防水手袋は、左手用手袋と右手用手袋は共に、平滑面が梨地程度の表面の粗さであり強く揉んでも硬い突起がないので局所の汚れを充分に落とし切れなかった。又梨地の場合滑りやすく、洗濯物をつかみにくい欠点があった。
【０００３】
【発明が解決しようとする課題】
従来の手袋では次のような欠点があった。
従来の手袋により揉み洗いする場合は、手袋に棒状の突起がないので、局所の汚れはきれいに落ちにくかった。つまり洗濯板のような硬い突起がない為衣服の布に当たる刺激が弱く、揉み洗いをしても硬い材質の布や、厚い冬物の靴下などのひどい汚れは取りきれず、揉み洗いする労力も多く必要とし腕の筋肉の疲労が肩こりの原因ともなっていた。
本発明はこのような欠点を改善する為に工夫されたもので、その目的とするところは、洗濯、特にもみ洗いを行う場合に汚れを効率よく落とすことを可能にする洗濯用防水手袋を提供するところにある。
【０００４】
【課題を解決する為の手段】
上記目的を達成するべく本願発明の請求項１による洗濯用防水手袋は、一対をもって用いる手袋（１）と他の手袋（２）とからなる洗濯用防水手袋において、上記手袋（１）は甲面の第一関節と第二関節の間の位置に断面が三角形もしくは台形の細長い棒状の突起（５ａ）を並列して複数本備えており、掌面手首位置に断面が三角形もしくは台形の細長い棒状の突起（５ｂ）を並列して複数本備えており、指を折り曲げたときに上記突起（５ａ）と上記突起（５ｂ）が略連続した状態で配置されるようになり、上記一対の他の手袋（２）は甲面の第一関節と第二関節の間の位置に断面が三角形もしくは台形の細長い棒状の突起（６ａ）を上記手袋（１）に設けた突起（５ａ）の設定角度と異なる角度に並列して複数本備えており、掌面手首側に断面が三角形もしくは台形の細長い棒状の突起（６ｂ）を上記手袋（１）に設けた突起（５ｂ）の設定角度と異なる角度に並列して複数本備えており、上記一対の手（１）、（２）によって揉み洗いするべく自然な角度で両手を交叉させた時に両手の突起（５ａ）、（５ｂ）、（６ａ）、（６ｂ）の方向が一致する様に装着したことを特徴とするものである。
又、請求項２による洗濯用防水手袋は、請求項１記載の洗濯用防水手袋において、上記手袋（１）と手袋（２）の掌面であって五指の部分には微細な突起（７）が設けられていることを特徴とするものである。
【０００５】
【発明の実施の形態】
以下図１乃至図１０を参照して本発明の実施の形態を説明する。先ず図１において、左手用手袋（１）の親指の入る部分（３）と、人差し指・中指・薬指・小指が入る部分（４）を備えている。図２おいては左手用甲面の第一関節と第二関節の間に、断面三角形もしくは台形の棒状の突起物（５ａ）が複数本設けられ、掌面手首位置には、断面三角形もしくは台形の棒状の突起物（５ｂ）が複数本設けられている。図３は人差し指・中指・薬指・小指を曲げた状態をしめす。曲げた状態では掌部の突起物（５ｂ）の方向と甲面の突起物（５ａ）方向は同じ方向となり、突起物（５ａ）と突起物（５ｂ）は上下に連設して一枚の洗濯板状を形成する。
次に、図４は右手用手袋（２）の親指の入る部分と、人差し指・中指・薬指・小指が入る部分を備えている。図５において右手用甲面の第一関節と第二関節の間に断面三角形もしくは台形の棒状の突起物（６ａ）が複数本設けられ、掌面手首位置には左手用手袋と同様の突起物（６ｂ）が、左手袋（１）の突起物（５ａ）、（５ｂ）の配列の方向に対して異なる角度で設けられている。
図６は曲げた状態を示す。曲げた状態では掌部の突起物（６ｂ）突起方向と甲面の突起物（６ａ）の突起方向は一致させる配置とする。
又図７に示す様に左右手袋の掌面の五指に当たる部分には微細な細長い突起物が設けられている。
以上の構成を基にその作用を説明する。本実施の形態による洗濯用防水手袋を使用する場合には、図８に示す状態となる。すなわち左右の手指部分を内側に折り曲げた状態で突起物（５ａ）、（５ｂ）及び突起物（６ａ）、（６ｂ）は各々一枚の洗濯板状として使用するものである。そして使用する際には図９に示す様に、左手の突起物（５ａ）、（５ｂ）と右手突起物（６ａ）、（６ｂ）は平行状態に設定されている。
洗濯実施の際は図１０の如く左手袋側の突起（５ａ）、（５ｂ）により形成された洗濯板上に洗濯物（８）を載せ、右手袋側の突起（６ａ）、（６ｂ）で形成される洗濯板を上から被せるように挟み、左右共各々が逆方向に向かって水平に前後に動かし揉み洗いを行うとそれぞれの凸凹部が嵌合しながら突起の溝方向に直角に洗濯物の布をこすって汚れを取る。即ち従来の洗濯板の場合片側は素手であり、本考案では両方とも突起があり汚れ落としの効率向上を計った。
このように本実施の形態の場合に防水用手袋に洗濯板状の突起を設けることにより洗浄効果を大幅に高めることが出来る。特に右手用手袋（２）の突起物（６）を両手を自然な姿勢で合わすと丁度洗濯板の溝方向が一致するように、左手用手袋（１）の突起物（５）と異なる角度に傾斜した状態で設けられているので、左右に挟まれた洗濯物は突起の嵌合作用によって洗濯板用作用を発揮させる上で好都合である。
又突起物（５）突起物（６）断面の形状が三角形又は台形を為しているので、洗濯物の挟み込みが確実に行われ、洗浄効果を高めることが出来る。同時に腕や肩にかかる負担も軽く時間も短縮できる。
又左右手袋の掌面五指に設けられた微細な突起（７）は洗濯物を摘み上げる際などの滑り止めに効果的である。
丸い突起の場合は左手袋の凸部に当たる布の周りは凹部に落ち込み、そこに右手袋の凸部で洗濯物を挟み込むと、凸凹の間で挟まれた布は局所的に引っ張られ状態となり、摩擦の繰り返しによって綿製品又は糸の太い荒い折り目の靴下など傷めてしまう為、細長い棒状の突起が並列している洗濯板の形状が良い。
尚前記実施の形態では親指の入る部分（３）と人差し指・中指・薬指・小指の入る部分（４）と二分された構造の手袋にしてあるが、五指が別々になっている構造の手袋にも同様に適用可能である。
【０００６】
【発明の効果】
本発明を使用することによって洗濯板を２枚使った場合と同じくらいに、揉み洗いの時の洗濯効果が高まるので、硬い材質の衣類や、ワイシャツの襟、冬物の厚い靴下等のひどい汚れ等が衣類が古くなってもシミ状態として残ることもなく、洗い上がりがすっきりとし、いつまでも清潔に保てる。又従来の手袋より揉み洗いの際に突起物（５）、（６）の凸凹状形状の効果で手の力が少なくてすみ、回数も少なくてすむため布の消耗も軽く済み、同時に腕や肩にかかる労力も軽く時間も短縮できる。
【図面の簡単な説明】
【図１】本発明の実施の形態を示す図で、左手用手袋の甲面側を示す平面図である。
【図２】本発明の実施の形態を示す図で、左手用手袋の掌面側を示す平面図である。
【図３】本発明の実施の形態を示す図で、左手用手袋を内側に折り曲げた状態を示す平面図である。
【図４】本発明の実施の形態を示す図で、右手用手袋の甲面側を示す平面図である。
【図５】本発明の実施の形態を示す図で、右手用手袋の掌面側を示す平面図である。
【図６】本発明の実施の形態を示す図で、右手用手袋を内側に折り曲げた状態を示す平面図である。
【図７】本発明の実施の形態を示す図で、左右掌面五指に当たる部分を示す平面図である。
【図８】本発明の使用時の左右手の組み合わせた際の交差状態を示す斜視図である。
【図９】本発明の使用状態を示す要部斜視図である。
【図１０】本発明の使用状態を示す断面図である。
【符号の説明】
１  左手用手袋
２  右手用手袋
３  左右親指の入る部分
４  左右人差し指・中指・薬指・小指の入る部分
５  左手側手袋に設けた突起
６  右手側手袋に設けた突起
７  微細棒状突起
８  洗濯物
【図１】
0003764655.tif 000002
【図２】
0003764655.tif 000003
【図３】
0003764655.tif 000004
【図４】
0003764655.tif 000005
【図５】
0003764655.tif 000006
【図６】
0003764655.tif 000007
【図７】
0003764655.tif 000008
【図８】
0003764655.tif 000009
【図９】
0003764655.tif 000010
【図１０】
0003764655.tif 000011